(57)【要約】【課題】  レンズの取付が安定し、レンズの中心のズレの少ないレンズの取付構造を提供する。【解決手段】  本発明のレンズの取付構造は、筒状部２を有する保持部材１と、筒状部２内に圧入して取り付けられたレンズ６とを備え、筒状部２には多角形の孔２ａが設けられ、レンズ６の外周縁部６ａが多角形の孔２ａの面部で形成される辺部２ｂに圧入されたため、辺部２ｂへのレンズ６の外周縁部６ａの圧入よって、従来に比して辺部２ｂの欠けが少なく、レンズ６の安定した取付ができると共に、レンズ６の中心が辺部２ｂによって位置決めされて、レンズ中心のズレの少ないものが得られる。【選択図】        図２
2006133695.tif 000002
【特許請求の範囲】
【請求項１】
筒状部を有する保持部材と、前記筒状部内に圧入して取り付けられたレンズとを備え、前記筒状部には多角形の孔が設けられ、前記レンズの外周縁部が前記多角形の孔の面部で形成される辺部に圧入されたことを特徴とするレンズの取付構造。
【請求項２】
前記保持部材は、合成樹脂の成型品で形成されると共に、前記多角形の孔が正多角形の孔で形成され、前記レンズの前記外周縁部は、円形で形成されたことを特徴とする請求項１記載のレンズの取付構造。
【請求項３】
前記保持部材は、前記レンズを保持する第１の前記筒状部と、前記第１の筒状部に繋がって設けられた第２の筒状部を有し、前記第１の筒状部内に取り付けられた前記レンズと、前記第２の筒状部内で、前記レンズに対向して配設された赤外線除去フィルタと、前記第２の筒状部内で、前記フィルタの後部側に設けられた撮像素子とを有したカメラモジュールを備えたことを特徴とする請求項１、又は２記載のレンズの取付構造。
【発明の詳細な説明】
【技術分野】
【０００１】
本発明は携帯電話機等のカメラモジュール等に使用して好適なレンズの取付構造に関する。
【背景技術】
【０００２】
図３は従来のレンズの取付構造に係る要部縦断面図、図４は従来のレンズの取付構造に係る平面図を示し、従来のレンズの取付構造の構成を図３，図４に基づいて説明すると、保持部材５１は、円形孔５２と、この円形孔５２の内方に突出し、軸線方向に延びる３個の突条部５３を有する。
【０００３】
レンズ５４は、円形孔５２より径の小さい円形の外周縁部５４ａを有すると共に、このレンズ５４は、外周縁部５４ａが突条部５３に圧入されて、保持部材５１の円形孔５２内に取り付けられている。（例えば、特許文献１参照）
【０００４】
しかし、従来のレンズの取付構造は、レンズ５４が円形孔５２内に設けられた突条部５３に圧入されるため、突条部５３が欠けて、レンズ５４の保持が不安定になったり、レンズ５４が一方側の突条部５３側に深く食い込んで、レンズ５４の中心がズレたりする。
【０００５】
【特許文献１】特開平１１−８４１９７号公報
【発明の開示】
【発明が解決しようとする課題】
【０００６】
従来のレンズの取付構造は、レンズ５４が円形孔５２内に設けられた突条部５３に圧入されるため、突条部５３が欠けて、レンズ５４の保持が不安定になったり、レンズ５４が一方側の突条部５３側に深く食い込んで、レンズ５４の中心がズレたりするという問題がある。
【０００７】
そこで、本発明はレンズの取付が安定し、レンズの中心のズレの少ないレンズの取付構造を提供することを目的とする。
【課題を解決するための手段】
【０００８】
上記課題を解決するための第１の解決手段として、筒状部を有する保持部材と、前記筒状部内に圧入して取り付けられたレンズとを備え、前記筒状部には多角形の孔が設けられ、前記レンズの外周縁部が前記多角形の孔の面部で形成される辺部に圧入された構成とした。
【０００９】
また、第２の解決手段として、前記保持部材は、合成樹脂の成型品で形成されると共に、前記多角形の孔が正多角形の孔で形成され、前記レンズの前記外周縁部は、円形で形成された構成とした。
【００１０】
また、第３の解決手段として、前記保持部材は、前記レンズを保持する第１の前記筒状部と、前記第１の筒状部に繋がって設けられた第２の筒状部を有し、前記第１の筒状部内に取り付けられた前記レンズと、前記第２の筒状部内で、前記レンズに対向して配設された赤外線除去フィルタと、前記第２の筒状部内で、前記フィルタの後部側に設けられた撮像素子とを有したカメラモジュールを備えた構成とした。
【発明の効果】
【００１１】
本発明のレンズの取付構造は、筒状部を有する保持部材と、筒状部内に圧入して取り付けられたレンズとを備え、筒状部には多角形の孔が設けられ、レンズの外周縁部が多角形の孔の面部で形成される辺部に圧入されたため、辺部へのレンズの外周縁部の圧入よって、従来に比して辺部の欠けが少なく、レンズの安定した取付ができると共に、レンズの中心が辺部によって位置決めされて、レンズ中心のズレの少ないものが得られる。
【００１２】
また、保持部材は、合成樹脂の成型品で形成されると共に、多角形の孔が正多角形の孔で形成され、レンズの外周縁部は、円形で形成されたため、レンズの一層安定した取付ができると共に、レンズ中心のズレの一層少ないものが得られる。
【００１３】
また、保持部材は、レンズを保持する第１の筒状部と、第１の筒状部に繋がって設けられた第２の筒状部を有し、第１の筒状部内に取り付けられたレンズと、第２の筒状部内で、レンズに対向して配設された赤外線除去フィルタと、第２の筒状部内で、フィルタの後部側に設けられた撮像素子とを有したカメラモジュールを備えたため、特に、小型で、レンズの取付精度が要求されるカメラモジュールに適用して好適である。
【発明を実施するための最良の形態】
【００１４】
本発明のレンズの取付構造の図面を説明すると、図１は本発明のレンズの取付構造に係る要部断面図、図２は本発明のレンズの取付構造に係り、レンズの取付状態を示す要部の断面平面図である。
【００１５】
次に、カメラモジュールに適用した場合を例にして、本発明のレンズの取付構造に係る構成を図１、図２に基づいて説明すると、合成樹脂の成型品等からなる保持部材１は、円筒からなる第１の筒状部２と、この第１の筒状部２の一端側から同方向に延びた第１の筒状部２より大きな四角筒からなる第２の筒状部３と、第１，第２の筒状部２，３の一端同士を繋ぎ、第１，第２の筒状部２，３との間に段差を持って形成された連結部４と、第１の筒状部２の前方部である他端側に設けられた前方壁部５を有する。
【００１６】
また、第１の筒状部２内には、八角形等の正多角形の孔２ａが設けられ、この正多角形の孔２ａは、内壁には面部で形成される複数の辺部２ｂを有すると共に、前方壁部５は、ネジ込み等によって、第１の筒状部２の先端部に取り付けられている。
【００１７】
レンズ６は、円形状の外周縁部６ａを有し、このレンズ６の径は、複数の辺部２ｂの中央部間で形成される径よりも僅かに大きく成っており、このレンズ６は、第１の筒状部２の多角形の孔２ａ内において、外周縁部６ａが面部で形成される辺部２ｂに圧入されて取り付けられている。
【００１８】
また、保持部材１の第２の筒状部３内の下部には、プリント基板７が配置され、このプリント基板７には、撮像素子８が第２の筒状部３内でプリント基板７上に位置した状態で、接続導体９によって電気的に接続されている。
【００１９】
赤外線除去フィルタ１０（ＩＲカットフィルタ）は、レンズ６と撮像素子８との間の位置で、第２の筒状部３内に配置されて、赤外線除去フィルタ１０の上面１０ａが連結部４と対向して配置されている。
【００２０】
このような構成を有するカメラモジュールからなる本発明のレンズ取付構造は、ここでは図示しないが、携帯電話機等の電気機器内に収納され、プリント基板７がマザー基板等の接続基板に面実装されるようになっている。
【図面の簡単な説明】
【００２１】
【図１】本発明のレンズの取付構造に係る要部断面図。
【図２】本発明のレンズの取付構造に係り、レンズの取付状態を示す要部の断面平面図。
【図３】従来のレンズの取付構造に係る要部縦断面図。
【図４】従来のレンズの取付構造に係る平面図。
【符号の説明】
【００２２】
１：保持部材
２：第１の筒状部
２ａ：多角形の孔
２：辺部
３：第２の筒状部
４：連結部
５：前方壁部
６：レンズ
６ａ：外周縁部
７：プリント基板
８：撮像素子
９：接続導体
１０：赤外線除去フィルタ
【図１】
2006133695.tif 000003
【図２】
2006133695.tif 000004
【図３】
2006133695.tif 000005
【図４】
2006133695.tif 000006